(57)【要約】  第１電極と、第２電極と、有機層と、第１絶縁層と、第２絶縁層と、を備えた有機電界発光素子が提供される。前記第１絶縁層は、前記第１電極の上に設けられ開口部を有する。前記有機層は、前記第１電極の上において少なくとも一部が前記開口部に設けられる。前記第２電極の少なくとも一部は、前記有機層の前記少なくとも一部の上に設けられる。前記第２絶縁層は、前記第１絶縁層の外縁の少なくとも一部を覆う。前記第２絶縁層の密度は、前記第１絶縁層の密度よりも高い。これにより、保管寿命の長い有機電界発光素子、照明装置及び照明システムが提供される。
2015079519.tif 000002
【特許請求の範囲】
【請求項１】
第１電極と、
前記第１電極の上に設けられ、開口部を有する第１絶縁層と、
前記第１電極の上において少なくとも一部が前記開口部に設けられた有機層と、
前記有機層の前記少なくとも一部の上に少なくとも一部が設けられた第２電極と、
前記第１絶縁層の外縁の少なくとも一部を覆う第２絶縁層であって、前記第２絶縁層の密度は、前記第１絶縁層の密度よりも高い第２絶縁層と、
を備えた有機電界発光素子。
【請求項２】
前記第１絶縁層は、前記有機層及び前記第２電極のそれぞれと重なる重畳部と、前記重畳部以外の非重畳部と、を有し、
前記第２絶縁層は、前記第１絶縁層のうちの前記非重畳部を覆う請求項１記載の有機電界発光素子。
【請求項３】
前記第２絶縁層は、前記第１絶縁層の全体を覆う請求項１記載の有機電界発光素子。
【請求項４】
前記第１絶縁層は、有機絶縁材料を含み、
前記第２絶縁層は、無機絶縁材料を含む請求項１記載の有機電界発光素子。
【請求項５】
光透過性の第１基板と、
前記第１方向において前記第１基板と並ぶ第２基板と、
前記第１基板及び前記第２基板の外縁に沿って設けられ、前記第１基板と前記第２基板とを接着するシール部と、
をさらに備え、
前記第１電極は、前記第１基板と前記第２基板との間に設けられ、
前記第２電極は、前記第１電極と前記第２基板との間に設けられ、
前記シール部は、前記第１電極と、前記第２電極と、前記有機層と、前記第１絶縁層と、前記第２絶縁層と、を囲む請求項１記載の有機電界発光素子。
【請求項６】
前記第１基板と前記第２基板と前記シール部とで囲まれた内側に充填された中間層をさらに備えた請求項５記載の有機電界発光素子。
【請求項７】
前記中間層は、吸湿性材料を含む請求項６記載の有機電界発光素子。
【請求項８】
前記第１電極は、光透過性を有し、前記第２電極は、光反射性を有する請求項１記載の有機電界発光素子。
【請求項９】
有機電界発光素子であって、
第１電極と、
前記第１電極の上に設けられ、開口部を有する第１絶縁層と、
前記第１電極の上において少なくとも一部が前記開口部に設けられた有機層と、
前記有機層の前記少なくとも一部の上に少なくとも一部が設けられた第２電極と、
前記第１絶縁層の外縁の少なくとも一部を覆う第２絶縁層であって、前記第２絶縁層の密度は、前記第１絶縁層の密度よりも高い第２絶縁層と、
を含む有機電界発光素子と、
前記第１電極と前記第２電極とに電気的に接続され、前記第１電極及び前記第２電極を介して前記有機層に電流を供給する電源部と、
を備えた照明装置。
【請求項１０】
複数の有機電界発光素子であって、
前記複数の有機電界発光素子のそれぞれは、
第１電極と、
前記第１電極の上に設けられ、開口部を有する第１絶縁層と、
前記第１電極の上において少なくとも一部が前記開口部に設けられた有機層と、
前記有機層の前記少なくとも一部の上に少なくとも一部が設けられた第２電極と、
前記第１絶縁層の外縁の少なくとも一部を覆う第２絶縁層であって、前記第２絶縁層の密度は、前記第１絶縁層の密度よりも高い第２絶縁層と、
を含む
複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、有機層への水分の浸入を抑制し、保管寿命を長くすることが望まれる。
【先行技術文献】
【特許文献】
【０００３】
【特許文献１】特開２００３−３３２０７３号公報
【発明の概要】
【発明が解決しようとする課題】
【０００４】
本発明の実施形態は、保管寿命の長い有機電界発光素子、照明装置及び照明システムを提供する。
【課題を解決するための手段】
【０００５】
本発明の実施形態によれば、第１電極と、第２電極と、有機層と、第１絶縁層と、第２絶縁層と、を備えた有機電界発光素子が提供される。前記第１絶縁層は、前記第１電極の上に設けられ開口部を有する。前記有機層は、前記第１電極の上において少なくとも一部が前記開口部に設けられる。前記第２電極の少なくとも一部は、前記有機層の前記少なくとも一部の上に設けられる。前記第２絶縁層は、前記第１絶縁層の外縁の少なくとも一部を覆う。前記第２絶縁層の密度は、前記第１絶縁層の密度よりも高い。
【図面の簡単な説明】
【０００６】
【図１】図１（ａ）及び図１（ｂ）は、第１の実施形態に係る有機電界発光素子を模式的に表す断面図である。
【図２】第１の実施形態に係る有機電界発光素子の一部を模式的に表す平面図である。
【図３】第１の実施形態に係る有機電界発光素子の一部を模式的に表す平面図である。
【図４】第１の実施形態に係る有機電界発光素子の一部を表す模式的断面図である。
【図５】第１の実施形態に係る別の有機電界発光素子の一部を模式的に表す平面図である。
【図６】第１の実施形態に係る別の有機電界発光素子を模式的に表す断面図である。
【図７】図７（ａ）及び図７（ｂ）は、第１の実施形態に係る別の有機電界発光素子を表す模式図である。
【図８】第１の実施形態に係る別の有機電界発光素子を模式的に表す断面図である。
【図９】第１の実施形態に係る別の有機電界発光素子を模式的に表す断面図である。
【図１０】図１０（ａ）及び図１０（ｂ）は、第１の実施形態に係る別の有機電界発光素子を模式的に表す断面図である。
【図１１】図１１（ａ）及び図１１（ｂ）は、第１の実施形態に係る別の有機電界発光素子を模式的に表す断面図である。
【図１２】第１の実施形態に係る別の有機電界発光素子を模式的に表す断面図である。
【図１３】第２の実施形態に係る照明装置を表す模式図である。
【図１４】図１４（ａ）〜図１４（ｃ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）及び図１（ｂ）は、第１の実施形態に係る有機電界発光素子を模式的に表す断面図である。  
図２及び図３は、第１の実施形態に係る有機電界発光素子の一部を模式的に表す平面図である。  
図１（ａ）、図１（ｂ）、図２及び図３に表したように、有機電界発光素子１１０は、積層体ＳＢを含む。積層体ＳＢは、第１電極１０と、第２電極２０と、有機層３０と、第１絶縁層４０と、第２絶縁層５０と、を含む。
【０００９】
図２では、便宜的に第１絶縁層４０及び第２絶縁層５０のみを図示している。図１（ａ）は、図２のＡ１−Ａ２線断面に相当する。図１（ｂ）は、図２のＢ１−Ｂ２線断面に相当する。図３では、便宜的に第２電極２０及び有機層３０のみを図示している。これらの図は、本実施形態に係る有機電界発光素子の一部を拡大して例示している。
【００１０】
第１電極１０は、例えば、光透過性を有する。第１電極１０は、例えば、透明電極である。第２電極２０は、第１方向において第１電極１０と並ぶ。有機層３０は、第１電極１０と第２電極２０との間に設けられる。有機層３０は、有機発光層を含む。有機層３０は、光透過性を有する。有機層３０は、例えば、消灯状態において光透過性を有する。
【００１１】
ここで、第１電極１０と第２電極２０と有機層３０との積層方向（第１方向）に対して平行な方向をＺ軸方向とする。Ｚ軸方向に対して垂直な１つの方向をＸ軸方向とする。Ｘ軸方向及びＺ軸方向に対して垂直な方向をＹ軸方向とする。Ｚ軸方向は、第１電極１０の厚さ方向に相当する。
【００１２】
この例では、第２電極２０が、導電部２０ａと、複数の開口部２０ｂ（第１開口部）と、を含む。開口部２０ｂは、有機層３０の一部を露呈させる。この例では、第２電極２０が、複数の導電部２０ａを含む。複数の導電部２０ａのそれぞれは、Ｙ軸方向（第２方向）に延び、Ｘ軸方向（第３方向）に並ぶ。複数の開口部２０ｂのそれぞれは、複数の導電部２０ａのそれぞれの間に配置される。複数の開口部２０ｂのそれぞれは、例えば、Ｙ軸方向に延びる溝状である。すなわち、この例では、第２電極２０が、ストライプ状である。
【００１３】
なお、第２電極２０が開口部２０ｂを有さず、有機層３０の一部が第２電極２０から露呈していなくても良い。すなわち、第２電極２０が有機層３０の上面を覆っていてもよい。
【００１４】
第２電極２０（導電部２０ａ）は、例えば、光反射性を有する。第２電極２０の光反射率は、第１電極１０の光反射率よりも高い。本願明細書においては、第１電極１０の光反射率よりも高い光反射率を有している状態を光反射性という。
【００１５】
この例では、第１絶縁層４０が、第１電極１０と有機層３０との間に設けられる。すなわち、第１絶縁層４０は、第１電極１０の上に設けられる。有機層３０は、第１絶縁層４０の上に設けられる。第１絶縁層４０は、例えば、絶縁部４０ａと、開口部４０ｂ（第２開口部）と、を含む。開口部４０ｂは、第１電極１０の一部を露呈させる。開口部４０ｂは、Ｘ−Ｙ平面（第１方向に対して垂直な平面）に投影した時に、第２電極２０の導電部２０ａと重なる位置に配置される。換言すれば、開口部４０ｂは、Ｚ軸方向に見たときに、導電部２０ａと重なる位置に配置される。第１絶縁層４０は、光透過性である。第１絶縁層４０は、例えば、透明である。
【００１６】
この例では、第１絶縁層４０が、複数の開口部４０ｂを含む。複数の開口部４０ｂのそれぞれは、Ｙ軸方向に延び、Ｘ軸方向に並ぶ。複数の開口部４０ｂのそれぞれは、例えば、溝状である。絶縁部４０ａは、複数の開口部４０ｂのそれぞれを囲む格子状である。第１絶縁層４０は、例えば、ストライプ状である。この例では、複数の開口部４０ｂのそれぞれにより、第１電極１０の複数の部分が露呈される。以下では、第１電極１０のうちの開口部４０ｂによって露呈された部分を、露呈部１０ｐと称す。
【００１７】
この例では、Ｘ−Ｙ平面に投影した時に、複数の導電部２０ａのそれぞれが、複数の開口部４０ｂのいずれかと重なる。そして、この例では、Ｘ−Ｙ平面に投影した時に、少なくとも１つの開口部４０ｂが、複数の導電部２０ａのそれぞれの間に配置される。より詳しくは、Ｘ−Ｙ平面に投影した時に、１つの開口部４０ｂが、複数の導電部２０ａのそれぞれの間に配置される。Ｘ−Ｙ平面に投影したときに、複数の導電部２０ａのそれぞれの間に配置される開口部４０ｂの数は、２つ以上でもよい。また、Ｘ−Ｙ平面に投影した時に、複数の導電部２０ａのそれぞれが、複数の開口部４０ｂのそれぞれと重なってもよい。すなわち、開口部４０ｂは、複数の導電部２０ａの間のみに配置しなくてもよい。
【００１８】
有機層３０は、Ｘ−Ｙ平面に投影した時に、第１絶縁層４０の開口部４０ｂと重なる第１部分３０ａと、絶縁部４０ａと重なる第２部分３０ｂと、を含む。有機層３０は、例えば、絶縁部４０ａの上及び複数の露呈部１０ｐのそれぞれの上に、連続して設けられる。このように、有機層３０の少なくとも一部は、第１電極１０の上において開口部４０ｂに設けられる。第２電極２０の少なくとも一部は、有機層３０のうちの、開口部４０ｂに設けられた少なくとも一部の上に設けられる。
【００１９】
なお、有機層３０は、絶縁部４０ａと重ならなくても良い。すなわち、有機層３０は、第１絶縁層４０の開口部４０ｂにのみ設けられていても良い。
【００２０】
この例では、有機層３０の第１部分３０ａが、絶縁部４０ａによって挟まれる。図１（ａ）に表したように、絶縁部４０ａの一部は、有機層３０のＸ軸方向の両端の外縁３０ｅに覆われる。さらに、この例では、有機層３０の外縁３０ｅは、第２電極２０の開口部２０ｂから露呈している。また、図１（ｂ）に表したように、絶縁部４０ａは、第１部分３０ａにおいて、有機層３０のＹ軸方向の両端の外縁３０ｅを覆う。
【００２１】
有機層３０の厚さ（Ｚ軸方向に沿う長さ）は、第１絶縁層４０（絶縁部４０ａ）の厚さよりも薄い。有機層３０の第１部分３０ａの第１電極１０との界面（第１部分３０ａの下面）及び第１部分３０ａの第２電極２０との界面（第１部分３０ａの上面）のＺ軸方向の距離は、絶縁層４０の絶縁部４０ａのＺ軸方向の端部と第１電極１０との間のＺ軸方向の距離よりも短い。すなわち、第１部分３０ａの第２電極２０との界面（第１部分３０ａの上面）は、絶縁部４０ａの第１電極１０側と反対側の端部（絶縁部４０ａの上面）よりも下に位置する。これにより、例えば、第２電極２０の形成の際に、有機層３０を傷付けてしまうことを抑制することができる。
【００２２】
第２絶縁層５０は、第１絶縁層４０の外縁４０ｅの少なくとも一部を覆う。第２絶縁層５０は、例えば、第１絶縁層４０に接する。第２絶縁層５０の密度は、第１絶縁層４０の密度よりも高い。第１絶縁層４０は、例えば、有機絶縁材料を含む。第２絶縁層５０は、例えば、無機絶縁材料を含む。第２絶縁層５０の密度は、例えば、２ｇ／ｃｍ３以上３．５ｇ／ｃｍ３以下である。第１絶縁層４０の密度は、例えば、１ｇ／ｃｍ３以上２．５ｇ／ｃｍ３以下である。また、第２絶縁層５０は、光透過性を有する。第２絶縁層５０は、例えば、透明である。
【００２３】
第２絶縁層５０の密度は、第１絶縁層４０の密度よりも少しでも高ければよく、１．３倍以上が好ましい。例えば、第１絶縁層４０がポリテトラフルオロエチレンを含み、第２絶縁層５０がＳｉＯＮを含む場合、第１絶縁層４０の膜密度は、２．２ｇ／ｃｍ３であり、第２絶縁層５０の膜密度は、３ｇ／ｃｍ３である。従って、この場合、第２絶縁層５０の密度は、第１絶縁層４０の密度の１．３６倍である。また、例えば、第１絶縁層４０がポリイミドを含み、第２絶縁層５０がＳｉＯ２を含む場合、第１絶縁層４０の膜密度は、１．４ｇ／ｃｍ３であり、第２絶縁層５０の膜密度は、２．２ｇ／ｃｍ３である。従って、この場合、第２絶縁層５０の密度は、第１絶縁層４０の密度の１．５７倍である。但し、第１絶縁層４０及び第２絶縁層５０の密度は、成膜方法や成膜条件などによって変化する。
【００２４】
第１絶縁層４０は、重畳部４０ｖと、非重畳部４０ｎと、を有する。重畳部４０ｖは、Ｘ−Ｙ平面に投影した時に、有機層３０及び第２電極２０の少なくともいずれかと重なる。非重畳部４０ｎは、第１絶縁層４０において、重畳部４０ｖ以外の部分である。すなわち、非重畳部４０ｎは、Ｘ−Ｙ平面に投影した時に、有機層３０及び第２電極２０のそれぞれと重ならない。なお、有機層３０は、非重畳部４０ｎと重なってもよい。非重畳部４０ｎは、例えば、第１絶縁層４０のＺ軸方向に対して垂直な任意の方向の端部である。第２絶縁層５０は、第１絶縁層４０の非重畳部４０ｎを覆う。
【００２５】
図２に表したように、第２絶縁層５０は、第１絶縁層４０を囲む環状である。第２絶縁層５０は、例えば、第１絶縁層４０の非重畳部４０ｎの全体を覆う。第２絶縁層５０は、例えば、第１絶縁層４０のうちの第１電極１０、第２電極２０及び有機層３０のそれぞれに覆われていない部分の全体を覆う。非重畳部４０ｎは、第１絶縁層４０の外縁４０ｅを含む。第２絶縁層５０は、例えば、第１絶縁層４０の外縁４０ｅの全体を覆う。第２絶縁層５０は、必ずしも環状でなくてもよい。例えば、一部分が途切れた形状でもよい。
【００２６】
有機層３０は、複数の開口部４０ｂのそれぞれを介して第１電極１０と電気的に接続される。有機層３０の複数の第１部分３０ａのそれぞれは、例えば、第１電極１０の複数の露呈部１０ｐのそれぞれに接する。これにより、有機層３０が、第１電極１０と電気的に接続される。
【００２７】
有機層３０は、第２電極２０と電気的に接続される。有機層３０は、例えば、複数の導電部２０ａのそれぞれに接する。これにより、有機層３０が、第２電極２０と電気的に接続される。なお、本願明細書において、「電気的に接続」には、直接接触する場合のほか、間に他の導電部材などが介在する場合も含む。
【００２８】
第１電極１０と第２電極２０とを用いて有機層３０に電流を流す。これにより、有機層３０が発光する。有機層３０は、例えば、電流が流れた場合に、電子と正孔とを再結合させ、励起子を生成する。有機層３０は、例えば、励起子が放射失活する際の光の放出を利用して発光する。
【００２９】
有機電界発光素子１１０では、有機層３０のうちの露呈部１０ｐと導電部２０ａとの間の部分が、発光領域ＥＡとなる。この例において、有機層３０は、複数の露呈部１０ｐと複数の導電部２０ａとの間の複数の発光領域ＥＡを有する。発光領域ＥＡから発せられた発光ＥＬは、第１電極１０を介して、有機電界発光素子１１０の外部に出射する。発光ＥＬの一部は、第２電極２０で反射し、有機層３０及び第１電極１０を介して外部に出射する。すなわち、有機電界発光素子１１０は、片面発光型である。
【００３０】
また、有機電界発光素子１１０では、外部から入射する外光ＯＬが、複数の導電部２０ａのそれぞれの間の部分の第１電極１０、有機層３０及び第１絶縁層４０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００３１】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００３２】
有機層３０に用いられる有機ＥＬ材料の発光特性は、例えば、水分によって劣化する。有機電界発光素子を長時動作させた場合、例えば、有機層の水分によって劣化した場所の輝度が低下する。劣化部分が、実質的に発光しなくなる。いわゆる、ダークスポットとなる。ダークスポットは、時間の経過とともに成長し、欠陥となる。
【００３３】
有機電界発光素子では、ダークスポットの発生、あるいは成長を抑制するために、有機層への水分の浸入を抑制したり、素子内に浸入した水分を除去したりすることが行われている。例えば、有機層が形成された素子基板を封止基板によって封止し、外部から有機層への水分の浸入を抑制する。例えば、素子内に浸入した水分を除去するために、素子基板と封止基板を貼り合わせた密閉空間に乾燥剤を設置する。これらは、例えば、中空封止と呼ばれる。
【００３４】
また、固体封止と呼ばれる対策もある。固体封止は、有機層を含む積層体を空間無く直接封止材料で充填する。このため、積層体が狭持された基板間に水分などの浸入の原因となる隙間が残らず、素子の劣化をより適切に抑制できる。
【００３５】
有機電界発光素子において、有機層の外縁を絶縁層（第１絶縁層４０）で囲むことが行われている。絶縁層は、例えば、発光領域の規定や製造時の有機層の保護に用いられる。こうした絶縁層を含む有機電界発光素子では、絶縁層を使用しない素子に比べて、劣化が促進される。
【００３６】
本願発明者は、有機層の外縁からの劣化について鋭意検討を行い、有機層の劣化の一因が、絶縁層の密度にあることを見出した。絶縁層には、例えば、有機絶縁材料などの比較的密度の低い材料が用いられる。このため、絶縁層が有機層の外側にある場合に、絶縁層に水分が浸入すると、絶縁層を介して有機層に水分が浸入してしまうと考えられる。例えば、絶縁層が、有機層の劣化を促進させると考えられる。これは、本願発明者の検討によって見出された新たな課題である。
【００３７】
また、有機層を囲む絶縁層に無機絶縁材料などの比較的密度の高い材料を用いることも考えられる。しかしながら、無機絶縁材料を用いた場合には、例えば、絶縁層の形成が困難になる。例えば、製造コストの増加を招いてしまう。
【００３８】
これに対して、本実施形態に係る有機電界発光素子１１０では、第１絶縁層４０の絶縁部４０ａで有機層３０の外縁３０ｅの少なくとも一部を覆い、第２絶縁層５０で第１絶縁層４０の外縁４０ｅの少なくとも一部を覆っている。第２絶縁層５０の密度は、第１絶縁層４０の密度よりも高くする。例えば、第１絶縁層４０に有機絶縁材料を用い、第２絶縁層５０に無機絶縁材料を用いる。
【００３９】
これにより、本実施形態に係る有機電界発光素子１１０では、有機層３０の外縁３０ｅへの水分の浸入を、第２絶縁層５０によって抑制することができる。例えば、有機電界発光素子１１０の保管寿命を長くすることができる。また、例えば、第１絶縁層４０に無機絶縁材料などを用いる場合に比べて、第１絶縁層４０及び第２絶縁層５０の形成が容易になる。例えば、有機電界発光素子１１０の製造コストの増加を抑えることができる。
【００４０】
この例では、有機電界発光素子１１０のＸ−Ｙ平面に投影した形状が、四角形状である。有機電界発光素子１１０の形状は、これに限ることなく、例えば、円形でもよいし、楕円形でもよい。または、三角形状や六角形状などの他の多角形状でもよい。すなわち、有機電界発光素子１１０のＸ−Ｙ平面に投影した形状は、任意の形状でよい。
【００４１】
図４は、第１の実施形態に係る有機電界発光素子の一部を表す模式的断面図である。  
図４に表したように、有機層３０は、第１層３１を含む。有機層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００４２】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００４３】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4”−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００４４】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００４５】
例えば、有機層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。有機層３０から放出される光の色温度は、例えば、２６００Ｋ以上７０００Ｋ以下である。
【００４６】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００４７】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００４８】
なお、第１電極１０を陰極とし、第２電極２０を陽極とし、第２層３２を電子注入層または電子輸送層として機能させ、第３層３３を正孔注入層または正孔輸送層として機能させてもよい。
【００４９】
第１絶縁層４０には、例えば、ポリイミド樹脂、アクリル樹脂、ポリビニルフェノール（ＰＶＰ）、ＰＭＭＡ、フッ素樹脂などの有機絶縁材料が用いられる。なお、第１絶縁層４０は、これらの材料に限定されない。
【００５０】
第２絶縁層５０には、例えば、シリコン酸化膜（例えばＳｉＯ２）、シリコン窒化膜（例えばＳｉＮ）、シリコン酸窒化膜（例えばＳｉＯＮ）または、フッ化マグネシウム（ＭｇＦ２）、フッ化リチウム（ＬｉＦ）、フッ化アルミニウム（ＡｌＦ３）、酸化アルミニウム（Ａｌ２Ｏ３）、酸化モリブデン（ＭｏＯｘ）、フッ化カルシウム（ＣａＦ）などの無機絶縁材料などが用いられる。第２絶縁層５０には、例えば、ガスバリア性を有する材料が用いられる。なお、第２絶縁層５０は、これらの材料に限定されない。第２絶縁層５０は、例えば、有機絶縁材料と無機絶縁材料とを含んでもよい。第２絶縁層５０の材料は、例えば、２ｇ／ｃｍ３以上３．５ｇ／ｃｍ３以下の密度を有する任意の材料でよい。
【００５１】
第２絶縁層５０の製造方法は、乾式法でもよいし、湿式法でもよい。乾式法には、例えば、蒸着法、スパッタリング法、または、ＣＶＤ法などを用いることができる。湿式法には、例えば、ゾル−ゲル法などを用いることができる。例えば、第２絶縁層５０の材料にフッ化マグネシウムを用いる。これにより、例えば、第２絶縁層５０を蒸着法で形成することができる。例えば、第２絶縁層５０の形成を容易にすることができる。
【００５２】
第１電極１０の厚さ（Ｚ軸方向の長さ）は、例えば、１０ｎｍ以上５００ｎｍ以下である。より好ましくは５０ｎｍ以上２００ｎｍ以下である。絶縁部４０ａの厚さは、例えば、１μｍ以上１００μｍ以下である。有機層３０の厚さは、例えば、１０ｎｍ以上５００ｎｍ以下である。第２電極２０（導電部２０ａ）の厚さは、例えば、１０ｎｍ以上３００ｎｍ以下である。導電部２０ａの幅Ｗ１（Ｘ軸方向の長さ）は、例えば、１μｍ以上５００μｍ以下である。複数の導電部２０ａのピッチＰｔ１は、例えば、２μｍ以上２０００μｍ以下である。より好ましくは、２μｍ以上２００μｍ以下である。ピッチＰｔ１は、例えば、隣り合う２つの導電部２０ａのＸ軸方向の中心間のＸ軸方向の距離である。絶縁部４０ａのＹ軸方向に延在する部分の幅Ｗ２は、例えば、１μｍ以上１５００μｍ以下である。絶縁部４０ａのＹ軸方向に延在する部分のピッチＰｔ２は、例えば、２μｍ以上２０００μｍ以下である。
【００５３】
図５は、第１の実施形態に係る別の有機電界発光素子の一部を模式的に表す平面図である。  
図５に表したように、この例では、第２電極２０の複数の開口部２０ｂが、Ｘ軸方向に並ぶとともに、Ｙ軸方向に並ぶ。すなわち、この例では、複数の開口部２０ｂが、二次元マトリクス状に並べて配置される。導電部２０ａは、例えば、格子状である。このように、第２電極２０（導電部２０ａ）は、ストライプ状に限ることなく、格子状でもよい。
【００５４】
格子状の導電部２０ａにおいて、Ｙ軸方向に延びＸ軸方向に並ぶ部分の幅Ｗｘは、１μｍ以上５００μｍ以下である。Ｙ軸方向に延びＸ軸方向に並ぶ部分のピッチＰｘは、例えば、２μｍ以上２０００μｍ以下である。Ｘ軸方向に延びＹ軸方向に並ぶ部分の幅Ｗｙは、１μｍ以上５００μｍ以下である。Ｘ軸方向に延びＹ軸方向に並ぶ部分のピッチＰｙは、例えば、２μｍ以上２０００μｍ以下である。
【００５５】
図６は、第１の実施形態に係る別の有機電界発光素子を模式的に表す断面図である。  
図６に表したように、有機電界発光素子１１１では、第２絶縁層５０が、第１絶縁層４０の全体を覆っている。有機電界発光素子１１１では、例えば、第１絶縁層４０が、第１電極１０と第２絶縁層５０とによって覆われる。換言すれば、第１絶縁層４０が、第１電極１０と第２絶縁層５０とで封止される。これにより、有機電界発光素子１１１では、例えば、有機層３０への水分の浸入を、より適切に抑制することができる。例えば、有機電界発光素子１１１の保管寿命をより長くすることができる。
【００５６】
図７（ａ）及び図７（ｂ）は、第１の実施形態に係る別の有機電界発光素子を表す模式図である。  
図７（ａ）は、有機電界発光素子１１２を模式的に表す断面図である。図７（ｂ）は、有機電界発光素子１１２を模式的に表す平面図である。なお、図７（ｂ）では、第２電極２０の図示を便宜的に省略している。
【００５７】
図７（ａ）に表したように、有機電界発光素子１１２では、第１絶縁層４０が、第１電極１０と有機層３０との間に延在していない。このように、第１絶縁層４０は、必ずしも第１電極１０と有機層３０との間に設けられていなくてもよい。第１絶縁層４０の形状は、例えば、絶縁部４０ａによって有機層３０の外縁３０ｅの少なくとも一部を覆うことが可能な任意の形状でよい。第１絶縁層４０の形状は、例えば、隣り合う一対の絶縁部４０ａの間に、有機層３０の少なくとも一部を配置できればよい。
【００５８】
有機電界発光素子１１２でも、有機層３０の外縁３０ｅへの水分の浸入を、第２絶縁層５０によって抑制することができる。有機電界発光素子１１２の保管寿命を長くすることができる。
【００５９】
図７（ｂ）に表したように、有機電界発光素子１１２では、第１絶縁層４０が、有機層３０の外縁３０ｅを囲む環状である。有機電界発光素子１１２では、第１絶縁層４０の絶縁部４０ａが、外縁３０ｅの全体を覆う。
【００６０】
また、有機電界発光素子１１２では、第２絶縁層５０が、第１絶縁層４０の外縁４０ｅを少なくとも覆う環状である。第２絶縁層５０は、例えば、第１絶縁層４０の非重畳部４０ｎの全体を覆う。これにより、例えば、外縁３０ｅへの水分の浸入をより適切に抑制することができる。例えば、有機電界発光素子１１２の保管寿命をより長くすることができる。
【００６１】
図８は、第１の実施形態に係る別の有機電界発光素子を模式的に表す断面図である。  
図８に表したように、有機電界発光素子１１３では、積層体ＳＢにおいて、第２電極２０、有機層３０及び第１電極１０が、この順に積層されている。
【００６２】
上記の有機電界発光素子１１０〜１１２では、積層体ＳＢにおいて、第１電極１０、有機層３０及び第２電極２０が、この順に積層されている。この場合、例えば、第１電極１０を支持する光透過性の基板側に光が照射される。すなわち、有機電界発光素子１１０〜１１２は、ボトムエミッション型の構造である。
【００６３】
有機電界発光素子１１３では、積層体ＳＢの積層順が、有機電界発光素子１１０〜１１２と反対である。有機電界発光素子１１３では、例えば、第２電極２０及び有機層３０を支持する基板と反対側に光が照射される。すなわち、第１電極１０側に光が照射される。すなわち、有機電界発光素子１１３は、トップエミッション型の構造である。
【００６４】
このように、トップエミッション型の有機電界発光素子１１３に第１絶縁層４０及び第２絶縁層５０を設ける。これにより、有機電界発光素子１１３においても、有機層３０の外縁３０ｅへの水分の浸入を抑制することができる。有機電界発光素子１１３の保管寿命を長くすることができる。
【００６５】
また、有機電界発光素子１１３において、第１絶縁層４０を有機層３０の外縁３０ｅを囲む環状にする。さらに、有機電界発光素子１１３において、第２絶縁層５０を第１絶縁層４０を囲む環状にする。これにより、例えば、外縁３０ｅへの水分の浸入をより適切に抑制することができる。例えば、有機電界発光素子１１３の保管寿命をより長くすることができる。
【００６６】
図９は、第１の実施形態に係る別の有機電界発光素子を模式的に表す断面図である。  
図９に表したように、有機電界発光素子１１４では、積層体ＳＢにおいて、複数の有機層３０が設けられている。複数の有機層３０のそれぞれは、例えば、Ｘ−Ｙ平面に投影した時に、複数の導電部２０ａのそれぞれと重なる位置に配置される。このように、有機層３０は、第１電極１０と導電部２０ａとの間の部分にだけ設けてもよい。
【００６７】
有機電界発光素子１１４において、第１絶縁層４０及び第２絶縁層５０を設ける。第１絶縁層４０は、例えば、複数の有機層３０のそれぞれを囲む。第２絶縁層５０は、例えば、第１絶縁層４０の非重畳部４０ｎを覆う。すなわち、第２絶縁層５０は、有機層３０を内側に挟んで設けられた一対の絶縁部４０ａの外側を覆う。これにより、有機電界発光素子１１４においても、複数の有機層３０のそれぞれの外縁３０ｅへの水分の浸入を抑制することができる。有機電界発光素子１１４の保管寿命を長くすることができる。
【００６８】
図１０（ａ）及び図１０（ｂ）は、第１の実施形態に係る別の有機電界発光素子を模式的に表す断面図である。  
図１０（ａ）に表したように、有機電界発光素子１１５では、第２電極２０が、開口部２０ｂを有していない。例えば、第２電極２０が、有機層３０の全体の上に設けられる。この例において、第２電極２０は、光透過性を有する。第２電極２０は、例えば、透明である。
【００６９】
これにより、有機電界発光素子１１５では、第１電極１０と第２電極２０とを介して有機層３０に電圧を印加すると、発光領域ＥＡから発せられた発光ＥＬが、第１電極１０を介して有機電界発光素子１１５の外部に出射するとともに、第２電極２０を介して有機電界発光素子１１５の外部に出射する。すなわち、有機電界発光素子１１５は、両面発光型である。
【００７０】
有機電界発光素子１１５において、積層体ＳＢは、第１配線層６１をさらに含む。第１配線層６１は、第１電極１０と第１絶縁層４０との間に設けられる。第１配線層６１は、開口部６１ａと、配線部６１ｂと、を有する。開口部６１ａは、第１電極１０の一部を露呈させる。第１配線層６１は、例えば、複数の開口部６１ａと、複数の配線部６１ｂと、を有する。この例において、複数の開口部６１ａのそれぞれは、Ｙ軸方向に延び、Ｘ軸方向に並ぶ。複数の配線部６１ｂは、複数の開口部６１ａのそれぞれの間に設けられる。すなわち、この例において、第１配線層６１は、ストライプ状のパターン形状である。複数の配線部６１ｂのそれぞれは、例えば、Ｘ−Ｙ平面に投影したときに、複数の絶縁部４０ａのそれぞれと重なる位置に配置される。複数の配線部６１ｂのそれぞれは、必ずしも複数の絶縁部４０ａのそれぞれと重ならなくてもよい。
【００７１】
第１配線層６１は、第１電極１０と電気的に接続される。第１配線層６１は、例えば、第１電極１０に接する。第１配線層６１の導電率は、第１電極１０の導電率よりも高い。第１配線層６１は、光反射性を有する。第１配線層６１の光反射率は、第１電極１０の光反射率よりも高い。第１配線層６１は、例えば、金属配線である。第１配線層６１は、例えば、第１電極１０に流れる電流を伝達する補助電極として機能する。これにより、有機電界発光素子１１５では、例えば、第１電極１０に流れる電流量をより均一にできる。例えば、面内の発光輝度をより均一にできる。
【００７２】
有機電界発光素子１１５においても、第１絶縁層４０及び第２絶縁層５０を設けることで、有機層３０の外縁３０ｅへの水分の浸入を抑制することができる。有機電界発光素子１１５の保管寿命を長くすることができる。
【００７３】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【００７４】
第１配線層６１は、例えば、Ｍｏ、Ｔａ、Ｎｂ、Ａｌ、Ｎｉ及びＴｉよりなる群から選択された、少なくともいずれかの元素を含む。第１配線層６１は、例えば、この群から選択された元素を含む混合膜とすることができる。第１配線層６１は、それらの元素を含む積層膜とすることができる。第１配線層６１には、例えばＮｂ／Ｍｏ／Ａｌ／Ｍｏ／Ｎｂの積層膜を用いることができる。第１配線層６１は、例えば、第１電極１０の電位降下を抑制する補助電極として機能する。第１配線層６１は、電流供給のためのリード電極として機能することができる。なお、第１配線層６１は、これらの材料に限定されない。
【００７５】
図１０（ｂ）に表したように、有機電界発光素子１１６では、積層体ＳＢが、第２配線層６２をさらに含む。第２配線層６２は、第２電極２０の上に設けられる。第２配線層６２は、開口部６２ａと、配線部６２ｂと、を有する。開口部６２ａは、第２電極２０の一部を露呈させる。第２配線層６２は、例えば、複数の開口部６２ａと、複数の配線部６２ｂと、を有する。この例において、複数の開口部６２ａのそれぞれは、Ｙ軸方向に延び、Ｘ軸方向に並ぶ。複数の配線部６２ｂは、複数の開口部６２ａのそれぞれの間に設けられる。すなわち、この例において、第２配線層６２は、ストライプ状のパターン形状である。この例において、複数の配線部６２ｂのそれぞれは、Ｘ−Ｙ平面に投影したときに、複数の絶縁部４０ａのそれぞれと重ならない位置に配置される。複数の配線部６２ｂのそれぞれは、例えば、Ｘ−Ｙ平面に投影したときに、複数の絶縁部４０ａのそれぞれと重なる位置に配置してもよい。
【００７６】
第２配線層６２は、第２電極２０と電気的に接続される。第２配線層６２は、例えば、第２電極２０に接する。第２配線層６２の導電率は、第２電極２０の導電率よりも高い。第２配線層６２は、光反射性を有する。第２配線層６２の光反射率は、第２電極２０の光反射率よりも高い。第２配線層６２は、例えば、金属配線である。第２配線層６２は、例えば、第２電極２０に流れる電流を伝達する補助電極として機能する。これにより、有機電界発光素子１１６では、例えば、第２電極２０に流れる電流量をより均一にできる。例えば、面内の発光輝度をより均一にできる。
【００７７】
第２配線層６２は、例えば、第２電極２０と有機層３０との間に設けてもよい。第２配線層６２のパターン形状は、格子状でもよい。第２配線層６２には、例えば、第１配線層６１に関して説明した材料を用いることができる。
【００７８】
有機電界発光素子１１６においても、第１絶縁層４０及び第２絶縁層５０を設けることで、有機層３０の外縁３０ｅへの水分の浸入を抑制することができる。有機電界発光素子１１６の保管寿命を長くすることができる。
【００７９】
図１１（ａ）及び図１１（ｂ）は、第１の実施形態に係る別の有機電界発光素子を模式的に表す断面図である。  
図１１（ａ）及び図１１（ｂ）に表したように、有機電界発光素子１１７及び有機電界発光素子１１８では、第２電極２０が、開口部２０ｂを有していない。例えば、第２電極２０が、有機層３０の全体の上に設けられる。この例において、第１電極１０及び第２電極２０の一方は、光反射性であり、他方は、光透過性である。すなわち、有機電界発光素子１１７及び有機電界発光素子１１８は、光透過性を有しない片面発光型の素子である。
【００８０】
有機電界発光素子１１７では、第１電極１０が光透過性であり、第２電極２０が光反射性である。すなわち、有機電界発光素子１１７は、ボトムエミッション型である。有機電界発光素子１１８では、第１電極１０が光反射性であり、第２電極２０が光透過性である。すなわち、有機電界発光素子１１８は、トップエミッション型である。
【００８１】
有機電界発光素子１１７、１１８においても、第１絶縁層４０及び第２絶縁層５０を設けることで、有機層３０の外縁３０ｅへの水分の浸入を抑制することができる。有機電界発光素子１１７、１１８の保管寿命を長くすることができる。
【００８２】
図１２は、第１の実施形態に係る別の有機電界発光素子を模式的に表す断面図である。
図１２に表したように、有機電界発光素子１２０は、第１基板８１と、第２基板８２と、シール部８４と、をさらに含む。  
第１基板８１及び第２基板８２は、光透過性を有する。第１基板８１及び第２基板８２は、例えば、透明である。第２電極８２は、Ｚ軸方向において第１基板８１と並ぶ。第１電極１０は、第１基板８１と第２基板８２との間に設けられる。第２電極２０は、第１電極１０と第２基板８２との間に設けられる。すなわち、第１基板８１と第２基板８２との間に、積層体ＳＢが設けられる。
【００８３】
換言すれば、積層体ＳＢは、第１基板８１の上に設けられる。第２基板８２は、積層体ＳＢの上に設けられる。より詳しくは、第１電極１０は、第１基板８１の上に設けられる。有機層３０は、第１電極１０の上に設けられる。第２電極２０は、有機層３０の上に設けられる。第２基板８２は、第２電極２０の上に設けられる。
【００８４】
この例において、積層体ＳＢは、有機電界発光素子１１０に関して説明した積層体ＳＢと同じである。積層体ＳＢは、有機電界発光素子１１１〜１１８に関して説明した積層体ＳＢでもよい。なお、有機電界発光素子１１７、１１８に関して説明したように、光透過性を有しない片面発光型の積層体ＳＢとする場合、第２電極２０と対向する第２基板８２は、光透過性を有しなくてもよい。また、例えば、有機電界発光素子１１２、１１３、１１７、１１８のように、第１電極１０と有機層３０との間に延在していない第１絶縁層４０を用いる場合、第１絶縁層４０及び第２絶縁層５０は、第１基板８１の上に設けてもよい。
【００８５】
シール部８４は、例えば、第１基板８１及び第２基板８２の外縁に沿って環状に設けられ、第１基板８１と第２基板８２とを接着する。シール部８４は、第１電極１０と、第２電極２０と、有機層３０と、第１絶縁層４０と、第２絶縁層５０と、を囲む。すなわち、シール部８４は、積層体ＳＢを囲む。これにより、第１基板８１と第２基板８２とシール部８４とによって、積層体ＳＢが封止される。このように、積層体ＳＢを封止することにより、有機層３０への水分の浸入をより適切に抑えることができる。
【００８６】
シール部８４と第２絶縁層５０との間の距離Ｄ１は、例えば、１００μｍ以上５０００μｍ以下である。距離Ｄ１は、より詳しくは、シール部８４と第２絶縁層５０との間の最小の距離である。距離Ｄ１が長い程、有機層３０の外縁３０ｅへの水分の浸入が抑制される。一方、距離Ｄ１が長くなると、有機電界発光素子１２０の発光面積が低下してしまう。有機電界発光素子１２０では、積層体ＳＢに第２絶縁層５０が設けられている。これにより、例えば、第２絶縁層５０が設けられていない場合に比べて、積層体ＳＢをシール部８４に近づけることができる。例えば、距離Ｄ１を１００μｍ以上５０００μｍ以下にした場合でも、有機層３０への水分の浸入を適切に抑えることができる。このように、有機電界発光素子１２０では、有機層３０への水分の浸入を抑制しつつ、素子の発光面積の低下を抑制することもできる。
【００８７】
有機電界発光素子１２０では、第１基板８１と第２基板８２との間のＺ軸方向の距離をシール部８４によって規定している。この構成は、例えば、シール部８４に粒状のスペーサ（図示は省略）を含めることによって実現できる。例えば、シール部８４に粒状の複数のスペーサを分散させ、複数のスペーサの径によって、第１基板８１と第２基板８２との間の距離が規定される。
【００８８】
有機電界発光素子１２０において、シール部８４の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部８４の厚さは、例えば、シール部８４に分散させるスペーサの径と実質的に同じである。
【００８９】
この例では、有機電界発光素子１２０が、中間層８６をさらに含む。中間層８６は、第１基板８１と第２基板８２とシール部８４とで囲まれた内側の空間ＳＰに充填される。第２絶縁層５０は、第１絶縁層４０と中間層８６との間に設けられる。第２絶縁層５０は、例えば、中間層８６に接する。
【００９０】
中間層８６は、吸湿性材料を含む。すなわち、中間層８６は、吸湿性を有する。中間層８６は、例えば、酸素吸着性をさらに有してもよい。吸湿性材料には、例えば、酸化カルシウム、酸化バリウム、酸化ストロンチウム、酸化マグネシウム、硫酸カルシウム、塩化カルシウム、塩化リチウム、臭化カルシウム、炭酸カリウム、硫酸銅、硫酸ナトリウム、塩化亜鉛、臭化亜鉛、塩化コバルト、五酸化二リン、シリカゲル、酸化アルミニウム、ゼオライト、有機金属錯体などが用いられる。吸湿性材料は、例えば、樹脂材料に分散される。樹脂材料には、例えば、アクリル系樹脂、メタクリル系樹脂、ウレタン系樹脂、ポリイソプレン、セルロース系樹脂、トリアジン系樹脂またはエポキシ樹脂などが用いられる。このように、中間層８６は、樹脂材料を含む。これにより、例えば、第１基板８１と第２基板８２とを接着する際に、第２基板８２が積層体ＳＢに接触し、積層体ＳＢに傷を付けてしまうことを抑制することができる。
【００９１】
このように、空間ＳＰを吸湿性材料を含む中間層８６で充填する。これにより、有機層３０への水分の浸入をより適切に抑制することができる。なお、中間層８６は、必要に応じて設けられ、省略可能である。空間ＳＰは、例えば、空気層でもよい。空間ＳＰには、例えば、Ｎ２やＡｒなどの不活性ガスを充填してもよい。また、中間層８６は、吸湿性材料を含まなくてもよい。中間層８６には、例えば、吸湿性材料を含まない上記の樹脂材料を用いてもよい。
【００９２】
第１基板８１及び第２基板８２には、例えば、ガラス基板、または、樹脂基板などが用いられる。シール部８５には、例えば、紫外線硬化樹脂などが用いられる。
【００９３】
（第２の実施形態）  
図１３は、第２の実施形態に係る照明装置を表す模式図である。  
図１３に表したように、本実施形態に係る照明装置２１０は、第１の実施形態に係る有機電界発光素子（例えば有機電界発光素子１２０）と、電源部２０１と、を備える。
【００９４】
電源部２０１は、第１電極１０と第２電極２０とに電気的に接続される。電源部２０１は、第１電極１０及び第２電極２０を介して有機層３０に電流を供給する。これにより、電源部２０１からの電流の供給によって、有機電界発光素子１２０（有機層３０）から光が放出される。  
本実施形態に係る照明装置２１０によれば、有機電界発光素子の保管寿命の長い照明装置を提供できる。
【００９５】
（第３の実施形態）  
図１４（ａ）〜図１４（ｃ）は、第３の実施形態に係る照明システムを表す模式図である。  
図１４（ａ）に表したように、本実施形態に係る照明システム３１１は、第１の実施形態に係る複数の有機電界発光素子（例えば有機電界発光素子１２０）と、制御部３０１と、を備える。
【００９６】
制御部３０１は、複数の有機電界発光素子１２０のそれぞれと電気的に接続され、複数の有機電界発光素子１２０のそれぞれの点灯・消灯を制御する。制御部３０１は、例えば、複数の有機電界発光素子１２０のそれぞれの第１電極１０及び第２電極２０と電気的に接続される。これにより、制御部３０１は、複数の有機電界発光素子１３０のそれぞれの点灯・消灯を個別に制御する。
【００９７】
図１４（ｂ）に表したように、照明システム３１２では、複数の有機電界発光素子１２０のそれぞれが、直列に接続されている。制御部３０１は、複数の有機電界発光素子１２０のうちの１つの有機電界発光素子１２０の第１電極１０と電気的に接続される。そして、制御部３０１は、複数の有機電界発光素子１２０のうちの別の１つの有機電界発光素子１２０の第２電極２０と電気的に接続される。これにより、制御部３０１は、複数の有機電界発光素子１２０のそれぞれの点灯・消灯をまとめて制御する。このように、制御部３０１は、複数の有機電界発光素子１２０のそれぞれの点灯・消灯を個別に制御してもよいし、まとめて制御してもよい。
【００９８】
図１４（ｃ）に表したように、照明システム３１３は、電源部２０１をさらに備える。この例では、照明システム３１３が、複数の電源部２０１を含む。複数の電源部２０１のそれぞれは、複数の有機電界発光素子１２０のそれぞれと電気的に接続されている。
【００９９】
照明システム３１３では、制御部３０１が、複数の電源部２０１のそれぞれと電気的に接続されている。すなわち、照明システム３１３では、制御部３０１が、複数の電源部２０１のそれぞれを介して複数の有機電界発光素子１２０のそれぞれと電気的に接続される。制御部３０１は、例えば、各電源部２０１に対して制御信号を入力する。各電源部２０１は、制御部３０１からの制御信号に応じて、有機電界発光素子１２０に電流を供給し、有機電界発光素子１２０を点灯させる。
【０１００】
このように、制御部３０１は、電源部２０１を介して複数の有機電界発光素子１２０の点灯・消灯を制御してもよい。この例では、複数の電源部２０１が、複数の有機電界発光素子１２０のそれぞれに接続されている。これに限ることなく、例えば、１つの電源部２０１を複数の有機電界発光素子１２０のそれぞれに接続してもよい。例えば、１つの電源部２０１が、制御部３０１からの制御信号に応じて、複数の有機電界発光素子１２０のそれぞれに選択的に電流を供給できるようにしてもよい。また、制御部３０１と電源部２０１との間の電気的な接続は、有線でもよいし、無線でもよい。制御部３０１からの制御信号は、例えば、無線通信で電源部２０１に入力してもよい。
【０１０１】
本実施形態に係る照明システム３１１〜３１３によれば、有機電界発光素子の保管寿命の長い照明システムを提供できる。
【０１０２】
実施形態によれば、保管寿命の長い有機電界発光素子、照明装置及び照明システムが提供される。
【０１０３】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。本願明細書において、「上に設けられる」状態は、直接接して設けられる状態の他に、間に他の要素が挿入されて設けられる状態も含む。「積層される」状態は、互いに接して重ねられる状態の他に、間に他の要素が挿入されて重ねられる状態も含む。「対向する」状態は、直接的に面する状態の他に、間に他の要素が挿入されて面する状態も含む。本願明細書において、「電気的に接続」には、直接接触して接続される場合の他に、他の導電性部材などを介して接続される場合も含む。
【０１０４】
以上、具体例を参照しつつ、本発明の実施の形態について説明した。しかし、本発明の実施形態は、これらの具体例に限定されるものではない。例えば、有機電界発光素子に含まれる、第１電極、第２電極、有機層、第１絶縁層、第２絶縁層、第１基板、第２基板、シール部、中間層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１０５】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１０６】
その他、本発明の思想の範疇において、当業者であれば、各種の変更例及び修正例に想到し得るものであり、それら変更例及び修正例についても本発明の範囲に属するものと了解される。
【０１０７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015079519.tif 000003
【図２】
2015079519.tif 000004
【図３】
2015079519.tif 000005
【図４】
2015079519.tif 000006
【図５】
2015079519.tif 000007
【図６】
2015079519.tif 000008
【図７】
2015079519.tif 000009
【図８】
2015079519.tif 000010
【図９】
2015079519.tif 000011
【図１０】
2015079519.tif 000012
【図１１】
2015079519.tif 000013
【図１２】
2015079519.tif 000014
【図１３】
2015079519.tif 000015
【図１４】
2015079519.tif 000016
【国際調査報告】
2015079519.tif 000017
2015079519.tif 000018
2015079519.tif 000019
2015079519.tif 000020